(57)【要約】【課題】外部から衝撃力が作用した際に、この衝撃力を吸収し、リール本体内に内蔵した駆動部に衝撃力を伝わり難くし、リール本体内での破損や作動不良等の不具合の発生を防止することのできる魚釣用スピニングリールを提供すること【解決手段】釣竿に装着する脚部１４を上部に有するリール本体１２の前部に、釣糸案内部を有するロータ２４及び釣糸が巻回されるスプール１６を備えた魚釣用スピニングリール１０であって、リール本体１２の後面に取付けられ、このリール本体１２の後面に形成した切欠き部４６との間に外部に連通する空間部Ｓを形成すると共に、この空間部Ｓを跨ぐブリッジ状のカバー体３２を有する魚釣用スピニングリール。【選択図】      図４
2006262729.tif 000002
【特許請求の範囲】
【請求項１】
釣竿に装着する脚部を上部に有するリール本体の前部に、釣糸案内部を有するロータ及び釣糸が巻回されるスプールを備えた魚釣用スピニングリールであって、
前記リール本体の後面に取付けられ、このリール本体の後面との間に外部に連通する空間部を形成すると共に、この空間部を跨ぐブリッジ状のカバー体を有することを特徴とする魚釣用スピニングリール。
【発明の詳細な説明】
【技術分野】
【０００１】
本発明は、釣竿に装着する脚部を上部に有するリール本体の前部に、釣糸案内部を有するロータおよび釣糸が巻回されるスプールを配置した魚釣用スピニングリール関する。
【背景技術】
【０００２】
一般に、魚釣用スピニングリールのリール本体は、剛性構造のリールボディ内に、ロータを回転するための駆動機構およびスプールを前後動するオシレーティング機構を内蔵しており、このリールボディの開口部に蓋体が取付けられる。このリール本体からは、ハンドル軸の端部が側方に突出しており、この突出したハンドル軸の端部にハンドルが取付けられる。このハンドルを回転操作すると、ハンドル軸を介して駆動機構およびオシレーティング機構が作動され、ロータを回転しつつ、前後動するスプール上に釣糸を均等に巻回することができる。
【０００３】
このようなスピニングリールは、その突起部の多い複雑な外形形状に加え、成型時のパーティング等の影響もあり、両軸受リール等の他の魚釣用リールに較べて、印刷を施しあるいは銘板を設ける等の装飾用の広いスペースを確保することが困難である。また、突起部の多い形態的な面からも、他物に当たったり、落下した際等に傷がつき易いという特性がある。このため、リール本体の後部から脚部に向かって幅広形状のカバー体を装着したものがある（例えば特許文献１参照）。
【０００４】
このようなスピニングリールは、幅広形状のカバー体により、その一部で形成した大きな銘板をリール本体に取付け、あるいはその外面に印刷を施すことにより、装飾性や視認性の向上を図ることができる。
【特許文献１】実用新案登録第２５５０４１０号公報
【発明の開示】
【発明が解決しようとする課題】
【０００５】
しかし、このようなカバー体をリール本体に設けたスピニングリールでは、リール本体の後部側は、特に、携帯時、釣場での移動時、あるいは実釣時等に、他物との衝突あるいは落下による外部からの衝撃力がリール本体内に内蔵された駆動機構やオシレーティング機構等の駆動部に伝わり易い。これらの駆動部は、極めて高精度の部材で形成されているため、これらの衝撃力で駆動部が破損したり、作動不能等の不具合が生じ易い。このような内部機構の初期的な不具合は、外部から確認することができず、使用時に初めて故障状態が判明することがある。また、外部からの衝撃により、カバー体だけでなく、リール本体も損傷して交換が必要となることもある。このような従来の魚釣用スピニングリールは、カバー体が損傷したときの交換が不便でコスト高となる。
【０００６】
本発明は、このような事情に基づいてなされたもので、外部から衝撃力が作用した際に、この衝撃力を吸収し、リール本体内に内蔵した駆動部に衝撃力を伝わり難くし、リール本体内での破損や作動不良等の不具合の発生を防止することのできる魚釣用スピニングリールを提供することを目的とする。
【課題を解決するための手段】
【０００７】
上記目的を達成するため、本発明によると、釣竿に装着する脚部を上部に有するリール本体の前部に、釣糸案内部を有するロータ及び釣糸が巻回されるスプールを備えた魚釣用スピニングリールであって、前記リール本体の後面に取付けられ、このリール本体の後面との間に外部に連通する空間部を形成すると共に、この空間部を跨ぐブリッジ状のカバー体を有する魚釣用スピニングリールが提供される。
【発明の効果】
【０００８】
本発明の魚釣用スピニングリールによると、リール本体の後面との間に外部に連通する空間部を形成すると共に、この空間部を跨ぐブリッジ状のカバー体は、外部から衝撃力が作用したときに、空間部内で変形する。この変形により、リール本体に影響を与えるのが防止される。これにより、外部から衝撃力が作用した際に、この衝撃力を吸収し、リール本体内に内蔵した駆動部に衝撃力を伝わり難くし、リール本体内での破損や作動不良等の不具合の発生を防止することができる。また、カバー体の変形はリール本体に影響を及ぼさないため、変形したカバー体を交換するだけで、修復することができ、簡便で経済的である。
【発明を実施するための最良の形態】
【０００９】
図１から図４は、本発明の好ましい実施形態による魚釣用スピニングリール１０を示す。この魚釣用スピニングリール１０は、金属で高精度かつ剛性構造に形成されたリール本体１２を有し、このリール本体１２から上方に延出する脚部１４の上端部に形成された竿取付部１４ａを介して釣竿に取り付けられる。このリール本体１２の前部には、釣糸が巻回されるスプール１６と、ベール１８および釣糸案内部２０（図２）を腕部２２に配置したロータ２４とが設けられており、リール本体１２内には、図示しない公知のロータ２４を回転駆動する巻取駆動機構と、スプール１６を前後に往復動させるスプール往復動装置とが設けられている。これらの巻取駆動機構とスプール往復動装置とは、リール本体１２の側方に突出するハンドル軸の一端に取付けられたハンドル２６を回転操作することにより、作動される。
【００１０】
このような魚釣用スピニングリール１０のハンドル２６を回転操作すると、リール本体１２内に回転自在に支えられたハンドル軸が回転され、スプール往復動装置を介してスプール１６が前後に往復動すると共に、巻取駆動機構を介してロータ２４が回転駆動される。これにより、スプール１６の巻回胴部１６ａには、釣糸案内部２０を介して、釣糸が均等に巻回される。このハンドル２６は、図に示す右側位置から、必要に応じて反対側に付替えることができる。
【００１１】
本実施形態のリール本体１２は、脚部１４を上方に延出すると共に上述の巻取駆動機構やスプール往復動装置等の内部構成部材を収容する内部空間を形成したボディ部１２ａと、この内部空間の側方に開口した開口部を閉じる蓋体１２ｂと、前部に配置した円板状のつば部１２ｃ（図２にのみ示す）とで形成してある。これらのボディ部１２ａと蓋体１２ｂとは、例えばアルミニウム合金等の同じ金属材料を用いて形成され、例えば図示しない止めネジにより、一体に結合した組立て構造を備える。図示の蓋体１２ｂは、その外側には、例えばＡＢＳ，ナイロン等の樹脂で形成される装飾機能を有する装飾プレートが適宜取付けられる。また、つば部１２ｃは、ボディ部１２ａおよび蓋体１２ｂの前端に形成してあり、結合したときにリール本体１２の外方に円板状に張出す。
【００１２】
このリール本体１２の側部からは、ハンドル軸の端部を回転自在に支える軸受収容部２８が突出しており、この軸受収容部２８の開口した頂部に、ハンドル軸を抜け止めするハンドルキャップ３０が取付けられる。このハンドルキャップ３０を取外し、ハンドル２６の基端部に設けられた固定部２６ａ（図２）をこのハンドル軸の端部に取付けることにより、ハンドル２６を左右のいずれの側にも取付けることができる。
【００１３】
このリール本体１２の後面には、カバー体３２が着脱可能に取付けられる。このカバー体３２は全体的に略Ｌ字状形状を有し、脚部１４の下側部位からボディ部１２ａに沿って下方に延びる上腕部３４と、この上腕部３４の下端部から前方に延びる支持腕部３６とを有し、この支持腕部３６の貫通孔３８を介して挿通される止めネジ４０（図４）により、リール本体１２の下部領域に取付けられる。
【００１４】
図４に示すように、本実施形態の上腕部３４は、外方に突出した弧を画くように上下方向に沿って外方に湾曲し、上下方向に延びる細長い底壁部３４ａの側縁部からは側壁部３４ｂを前方すなわちリール本体１２側に突出させ、前方に開口するＵ字状の断面形状を形成する。この上腕部３４の上端部３５は、図３に示すように、上方に尖端部が突出する山形形状を有する。また、支持腕部３６は、上腕部３４の下端部から連続して斜め前方に延び、底壁部３６ａの側縁部からは、側壁部３６ｂが立上がる。この支持腕部３６の側壁部３６ｂは、上腕部３４の側壁部３４ｂよりも、より高い位置まで突出し、上腕部３４よりも深い凹部を形成する。この支持腕部３６の底壁部３６ａおよび側劇部３６ｂの先端部は、前方およびリール本体１２側に向けて次第に収束し、側壁部３６ｂと同じ高さまで傾斜して延び、先端側を閉じる。この底壁部３６ａの後端に近接した位置には、止めネジ４０を挿通する貫通孔３８をその底部に形成した凹陥部４２を形成してある。この凹陥部４２は、貫通孔３８を通してリール本体１２に螺合した止めネジ４０の頭部がこの支持腕部３６の底壁３６ａから突出しない深さに形成してある。
【００１５】
なお、カバー体３２は、底壁部３４ａ，３６ａの中央部に沿って稜線部が長手方向に延びる断面Ｖ字状形状を有するものであってもよい。また、カバー体３２は、例えばＡＢＳ，ナイロン等の樹脂で形成し、その表面には意匠性に優れた例えば金属光沢あるいは模様等の装飾機能を有する表面処理を施してもよい。
【００１６】
このカバー体３２が取付けられるリール本体１２の後面には、カバー体３２の外形形状に沿って、このカバー体３２の側壁部３４ｂ，３６ｂの肉厚分だけ、ボディ部１２ａの後面から底面に沿って凹設したカバー体取付部４４を形成してある。更に、このカバー体取付部４４には、リール本体１２の後部、例えばハンドル軸の後方に位置する部位に、後方および側方に開口する切欠き部４６を形成してある。本実施形態では、この切欠き部４６の周部の、カバー体３２の外形に対応した部位を超えた隣接領域４８も、側壁部３４ｂ，３６ｂの肉厚分凹設されており、カバー体３２をこのカバー取付部４４に取付けたときに、切欠き部４６の側部が外部に連通し、隣接領域４８が外部に露出する。
【００１７】
図４に示すように、カバー体取付部４４の領域内で、ボディ部１２ａの底面部から、止めネジ４０を螺合するネジ孔を形成した受け部５０が突出する。
【００１８】
このようなリール本体１２のカバー体取付部４４に、カバー体３２を取り付け、止めネジ４０を受け部５０のネジ孔に螺合すると、切欠き部４６は、カバー体３２の上腕部３４とボディ部１２ａの後面との間に、外部に連通する空間部Ｓを形成し、上腕部３４がこの空間部すなわち切欠き部４６を跨ぐブリッジ状構造を形成する。上腕部３４は、切欠き部４６の上方および下方側領域で、このボディ部１２ａに支えられる。この上腕部３４は、少なくとも山形形状の上端部３５がカバー体取付部４４の上端部に嵌合して移動を阻止されるものであれば、底壁３４ａと側壁３４ｂとが、ボディ部１２ａに直接接触して支えられることは必ずしも必要ない。切欠き部４６の周部領域で、これらの底壁部３４ａとボディ部１２ａとの間に更に空間部あるいは空隙が形成されてもよい。
【００１９】
このようなカバー体３２をリール本体１２に取付けた魚釣用リール１０は、カバー体３２に外部から大きな衝撃力が作用したときに、空間部Ｓ内で変形し、この変形により、衝撃エネルギを吸収する。これにより、外部から衝撃力が作用した際に、カバー体１４がこの衝撃力を吸収し、リール本体１２内に内蔵した駆動部に衝撃力を伝わり難くし、リール本体１２内での破損や作動不良等の不具合の発生を防止することができる。また、カバー体３２の変形はリール本体１２に影響を及ぼさないため、変形したカバー体３２を交換するだけで、修復することができ、簡便で経済的である。しかも、このカバー体３２の交換は、止めネジ４０を取外し、取付けるだけで簡単かつ迅速に行うことができる。
【００２０】
なお、本発明のスピニングリールは、上述の実施形態に限らず、種々の変形あるいは変更が可能である。例えば、カバー体３２を上腕部３４の上部と支持腕部３６の上下２箇所でネジ止めしたり、また、止めネジ４０をボディ部１２ａの底面側で螺合することに代え、ボディ部１２ａの側部に螺合することも可能である。また、外方に連通する空間部は、複数箇所に設けることも可能である。いずれの場合も、このような空間部を形成する切欠き部４６は、リール本体１２を軽量化し、これにより実釣時の操作性を向上させることができる。
【図面の簡単な説明】
【００２１】
【図１】本発明の好ましい実施形態による魚釣用スピニングリールの側面図。
【図２】図１に示す魚釣用スピニングリールを後部から見た背面図。
【図３】図１に示す魚釣用スピニングリールの後部を示す部分断面図。
【図４】図１に示す魚釣用スピニングリールのカバー体を取外した状態の説明図。
【符号の説明】
【００２２】
１０…魚釣用リール、１２…リール本体、１２ａ…ボディ部、１２ｂ…蓋部、１４…脚部、１６…スプール、２４…ロータ、３２…カバー体、４６…切欠き部。
【図１】
2006262729.tif 000003
【図２】
2006262729.tif 000004
【図３】
2006262729.tif 000005
【図４】
2006262729.tif 000006